(57)【要約】【課題】  本発明は、映画館等の娯楽施設とレストラン等の店舗とが併設されている複合施設において、娯楽施設の顧客を対象として、娯楽施設に併設されている店舗の利用促進を図ることができ、複合施設全体の売り上げを向上させることができるポイント管理システムを提供することを課題とする。【解決手段】  ポイントカード１として印字内容を書き換えることができる所謂リライトカードを使用し、チケット販売店に設置された販売端末２では、チケット購入時にサービス情報記憶部２６に記憶されているサービス情報の中から上映開始時間前のサービス情報を読み出して、ポイントカード１に印字し、娯楽施設の入場口に設置された入場口端末３では、入場時にサービス情報記憶部３３に記憶されているサービス情報の中から上映終了時間後のサービス情報を読み出して、ポイントカード１に印字する。【選択図】        図１
2005165424.tif 000002
【特許請求の範囲】
【請求項１】
チケット販売店に設置された販売端末と、入場口に設置された入場口端末とがネットワークによって接続され、印字内容を書き換えることができるポイントカードを用いてサービス情報を提供するポイント管理システムであって、
前記販売端末は、演目および上映日時からなるチケット情報を入力するチケット情報入力手段と、
有効期間を示すサービス期間、サービスを提供する時間帯、サービスを提供する店舗名および提供するサービスの内容を示すサービス内容からなる前記サービス情報を記憶するサービス情報記憶手段と、
前記チケット情報入力手段によって入力された前記チケット情報に含まれる上映日時に基づいて前記サービス情報記憶手段に記憶されている前記サービス情報を検索して、上映開始時間前の前記サービス情報の店舗名およびサービス内容を読み出す上映前情報検索手段と、
該上映前情報検索手段によって読み出された前記サービス情報の店舗名およびサービス内容を前記ポイントカードに印字する販売端末印字手段とを具備し、
前記入場口端末は、前記チケット情報入力手段によって入力された前記チケット情報に含まれる上映日時に基づいて前記サービス情報記憶手段に記憶されている前記サービス情報を検索して、上映終了時間後の前記サービス情報の店舗名およびサービス内容を読み出す上映後情報検索手段と、
該上映後情報検索手段によって読み出された前記サービス情報の店舗名およびサービス内容を前記ポイントカードに印字する入場口端末印字手段とを具備することを特徴とするポイント管理システム。
【請求項２】
前記上映前情報検索手段は、顧客の個人情報および前記上映日時に基づいて前記サービス情報記憶手段に記憶されている前記サービス情報を検索して、前記個人情報に適合した上映開始時間前の前記サービス情報の店舗名およびサービス内容を読み出し、
前記上映後情報検索手段は、前記個人情報および前記上映日時に基づいて前記サービス情報記憶手段に記憶されている前記サービス情報を検索して、前記個人情報に適合した上映終了時間後の前記サービス情報の店舗名およびサービス内容を読み出すことを特徴とする請求項１記載のポイント管理システム。
【請求項３】
前記販売端末印字手段は、前記チケット情報入力手段によって入力された前記チケット情報を前記ポイントカードに印字することを特徴とする請求項１又は２記載のポイント管理システム。
【発明の詳細な説明】
【技術分野】
【０００１】
本発明は、購入金額に応じて発生するポイントを管理するポイント管理システムに関し、特に印字内容を書き換えることができるポイントカードに状況に応じたサービス情報を印字することができるポイント管理システムに関する。
【背景技術】
【０００２】
従来、商品の販売等における顧客サービスとして、購入金額に応じてポイントを付与し、所定ポイント毎に割引を行ったり、景品との交換を行ったりするポイント管理装置が導入されている。
【０００３】
このようなポイント管理装置において、ポイントを記憶する磁気カードをポイントカードとして顧客に手渡し、磁気カードに累積して記憶されたポイントが所定のポイントに達する毎に、景品と交換することができるサービス券を発行する商品販売データ処理装置が提案されている（例えば、特許文献１参照）。
【０００４】
しかしながら、映画館等の娯楽施設とレストラン等の店舗とが併設されている複合施設において、娯楽施設で従来技術を用いた場合には、ポイントカードによって娯楽施設単体の利用促進を図ることができるが、ポイントとは関係ない店舗の利用を促進することができないという問題点があった。
【特許文献１】特開平５−２０５１５７号公報
【発明の開示】
【発明が解決しようとする課題】
【０００５】
本発明は斯かる問題点を鑑みてなされたものであり、その目的とするところは、映画館等の娯楽施設とレストラン等の店舗とが併設されている複合施設において、娯楽施設の顧客を対象として、娯楽施設に併設されている店舗の利用促進を図ることができ、複合施設全体の売り上げを向上させることができるポイント管理システムを提供する点にある。
【課題を解決するための手段】
【０００６】
本発明は上記課題を解決すべく、以下に掲げる構成とした。
請求項１記載の発明の要旨は、チケット販売店に設置された販売端末と、入場口に設置された入場口端末とがネットワークによって接続され、印字内容を書き換えることができるポイントカードを用いてサービス情報を提供するポイント管理システムであって、前記販売端末は、演目および上映日時からなるチケット情報を入力するチケット情報入力手段と、有効期間を示すサービス期間、サービスを提供する時間帯、サービスを提供する店舗名および提供するサービスの内容を示すサービス内容からなる前記サービス情報を記憶するサービス情報記憶手段と、前記チケット情報入力手段によって入力された前記チケット情報に含まれる上映日時に基づいて前記サービス情報記憶手段に記憶されている前記サービス情報を検索して、上映開始時間前の前記サービス情報の店舗名およびサービス内容を読み出す上映前情報検索手段と、該上映前情報検索手段によって読み出された前記サービス情報の店舗名およびサービス内容を前記ポイントカードに印字する販売端末印字手段とを具備し、前記入場口端末は、前記チケット情報入力手段によって入力された前記チケット情報に含まれる上映日時に基づいて前記サービス情報記憶手段に記憶されている前記サービス情報を検索して、上映終了時間後の前記サービス情報の店舗名およびサービス内容を読み出す上映後情報検索手段と、該上映後情報検索手段によって読み出された前記サービス情報の店舗名およびサービス内容を前記ポイントカードに印字する入場口端末印字手段とを具備することを特徴とするポイント管理システムに存する。
また請求項２記載の発明の要旨は、前記上映前情報検索手段は、顧客の個人情報および前記上映日時に基づいて前記サービス情報記憶手段に記憶されている前記サービス情報を検索して、前記個人情報に適合した上映開始時間前の前記サービス情報の店舗名およびサービス内容を読み出し、前記上映後情報検索手段は、前記個人情報および前記上映日時に基づいて前記サービス情報記憶手段に記憶されている前記サービス情報を検索して、前記個人情報に適合した上映終了時間後の前記サービス情報の店舗名およびサービス内容を読み出すことを特徴とする請求項１記載のポイント管理システムに存する。
また請求項３記載の発明の要旨は、前記販売端末印字手段は、前記チケット情報入力手段によって入力された前記チケット情報を前記ポイントカードに印字することを特徴とする請求項１又は２記載のポイント管理システムに存する。
【発明の効果】
【０００７】
本発明のポイント管理システムは、チケット購入時に、上映開始時間前のサービス情報をポイントカードに印字するように構成することにより、映画館等の娯楽施設とレストラン等の店舗とが併設されている複合施設において、娯楽施設の顧客を対象として、娯楽施設に併設されている店舗の上映開始時間前の利用を促進することができ、複合施設全体の売り上げを向上させることができるという効果を奏する。
【０００８】
さらに、本発明のポイント管理システムは、入場時に、上映終了時間後のサービス情報をポイントカードに印字するように構成することにより、映画館等の娯楽施設とレストラン等の店舗とが併設されている複合施設において、娯楽施設の顧客を対象として、娯楽施設に併設されている店舗の上映終了時間後の利用を促進することができ、複合施設全体の売り上げを向上させることができるという効果を奏する。
【０００９】
さらに、本発明のポイント管理システムは、チケット購入時に、チケット情報をポイントカードに印字するように構成することにより、ポイントカードをチケット代わりに使用することができるという効果を奏する。
【発明を実施するための最良の形態】
【００１０】
以下、本発明の実施の形態を図面に基づいて詳細に説明する。
【００１１】
図１は、本発明に係るポイント管理システムの実施の形態の構成を示すブロック図であり、図２は、図１に示す提携店舗端末の構成を示すブロック図であり、図３は、図１に示すサービス情報記憶部に記憶されているサービス情報例を示す図である。
【００１２】
本実施の形態のポイント管理システムは、上演時間が定められている映画館等の娯楽施設において使用され、顧客に発行したポイントカード１を用いてサービス情報を提供するシステムであり、図１を参照すると、販売端末２と、入場口端末３と、提携店舗端末４とがインターネット等のネットワーク７に接続されている。
【００１３】
ポイントカード１は、印字内容を書き換えることができる所謂リライトカードであり、ポイントカード１の印字面（表面）は、熱可逆性染料層が形成された書き換え可能領域となっている。また、ポイントカード１の裏面には、磁気ストライプ等の情報記憶領域が設けられており、情報記憶領域には、会員番号を少なくとも含む顧客情報が記憶されている。
【００１４】
販売端末２、入場口端末３および提携店舗端末４には、図１および図２を参照すると、磁気データ読み取り部５と、印字部６とがそれぞれ設けられている。磁気データ読み取り部５は、磁気ヘッドによってポイントカード１の情報記憶領域における磁界の変化を検知することで、ポイントカード１の情報記憶領域から会員番号を少なくとも含む顧客情報を読み取る。また、印字部６は、ポイントカード１の書き換えが可能な領域に印字を行う印字ヘッドと、ポイントカード１の書き換えが可能な領域に印字されている印字内容の消去を行う消去ヘッドとを有し、ポイントカード１の書き換えが可能な領域の書き換えを行う。
【００１５】
販売端末２は、娯楽施設で行われる演目のチケットを販売するチケット販売店に設置され、図１を参照すると、磁気データ読み取り部５および印字部６に加え、予約状況記憶部２１と、顧客情報記憶部２２と、予約管理部２３と、表示部２４と、入力部２５と、サービス情報記憶部２６と、上映前情報検索部２７と、印字データ生成部２８とで構成されている。
【００１６】
予約状況記憶部２１は、ハードディスク等の記憶手段であり、娯楽施設で行われる演目のスケジュール情報と、各演目の予約状況が記憶される。また、予約状況記憶部２１には、各演目のチケットを購入した顧客の会員番号と、個人情報と、入力部２５から入力されたチケット情報とが予約者情報として記憶される。なお、本実施の形態おいて、各演目には、定員が定められており、座席指定でチケットの購入がなされるものとする。
【００１７】
顧客情報記憶部２２は、顧客情報が記憶されているハードディスク等の記憶手段であり、顧客情報記憶部２２に記憶されている顧客情報は、会員番号と、累積ポイントと、年齢、性別、血液型等の個人情報とからなる。
【００１８】
予約管理部２３は、顧客が購入したチケットの購入金額に予め定められたポイント割合を乗算することによって今回ポイントを算出すると共に、算出した今回ポイントを顧客情報記憶部２２から読み出した累計ポイントに加算することによって累計ポイントを更新し、会員番号と、算出した今回ポイントと、更新した累計ポイントとをポイント情報として印字データ生成部２８に出力する。また、予約管理部２３は、会員番号に基づいて顧客情報記憶部２２に記憶されている顧客情報を検索して、顧客情報記憶部２２から個人情報を読み出し、読み出した個人情報と、チケット情報とを上映前情報検索部２７に出力すると共に、会員番号と、個人情報と、チケット情報とを予約者情報として予約状況記憶部２１に記憶させる。
【００１９】
表示部２４は、ディスプレイ等の表示手段であり、予約状況記憶部２１に記憶されている演目の予約状況が表示され、オペレータは、表示部２４に表示された演目の予約状況を参照してチケット販売を行う。
【００２０】
入力部２５は、オペレータによって各種情報の入力が行われるキーボード等の入力手段であり、顧客が購入した演目と、上映日時と、座席番号とがチケット情報として入力されると共に、サービス情報記憶部２６に記憶するサービス情報の入力が行われる。
【００２１】
サービス情報記憶部２６は、ポイントカード１に印字するサービス情報を記憶するハードディスク等の記憶手段である。サービス情報記憶部２６に記憶されるサービス情報は、図３を参照すると、有効期間を示す「サービス期間」と、対象となる顧客の年齢を示す「対象年齢」と、サービスを提供する「時間帯」と、サービスを提供する店舗を示す「店舗名」と、提供するサービスの内容を示す「サービス内容」とからなる。
【００２２】
上映前情報検索部２７は、個人情報と、チケット情報に含まれる上映日時とに基づいてサービス情報記憶部２６に記憶されているサービス情報を検索して、個人情報と適合する上映開始時間前のサービス情報を読み出し、読み出したサービス情報と、チケット情報とを印字データ生成部２８に出力する。
【００２３】
印字データ生成部２８は、予約管理部２３から入力されたポイント情報を印字するポイント情報印字領域と、上映前情報検索部２７から入力されたチケット情報を印字するチケット情報印字領域と、上映前情報検索部２７から入力されたサービス情報を印字する上映前情報印字領域とからなる印字レイアウトを生成する。
【００２４】
送信部２９は、ネットワーク７を介して予約状況記憶部２１に記憶されている予約者情報と、サービス情報記憶部２６に記憶されているサービス情報とを入場口端末３にそれぞれ送信すると共に、ネットワーク７を介して予約状況記憶部２１に記憶されているスケジュール情報を提携店舗端末４に送信する。
【００２５】
入場口端末３は、娯楽施設の入場口に設置され、演目の鑑賞を予約した顧客の入場を管理する端末であり、図１を参照すると、磁気データ読み取り部５および印字部６に加え、ネットワーク７を介して販売端末２から予約者情報およびサービス情報を受信する受信部３１と、受信部３１によって受信された予約者情報を記憶する予約者情報記憶部３２と、受信部３１によって受信されたサービス情報を記憶するサービス情報記憶部３３と、入場管理部３４と、ブザー等の報知部３５と、上映後情報検索部３６と、印字データ生成部３７とで構成されている。
【００２６】
入場管理部３４は、会員番号に基づいて予約者情報記憶部３２に記憶されている予約者情報を検索することで、チケット購入者か否かを判別し、チケット購入者でないと判別された場合には、ブザー等の報知部３５によって警報を出力する。また、チケット購入者であると判別された場合には、入場管理部３４は、会員番号に基づいて予約者情報記憶部３２に記憶されている予約者情報を検索して、個人情報とチケット情報とを読み出し、読み出した個人情報とチケット情報とを上映後情報検索部３６に出力する。
【００２７】
上映後情報検索部３６は、個人情報と、チケット情報に含まれる上映日時とに基づいてサービス情報記憶部３３に記憶されているサービス情報を検索して、個人情報と適合する上映終了時間後のサービス情報を読み出し、読み出したサービス情報を印字データ生成部３７に出力する。
【００２８】
印字データ生成部３７は、上映後情報検索部３６から入力されたサービス情報を印字する上映後情報印字領域１０４からなる印字レイアウトを生成する。
【００２９】
提携店舗端末４は、娯楽施設に併設されているレストラン等の店舗に設置される端末であり、図２を参照すると、磁気データ読み取り部５および印字部６に加え、ネットワーク７を介して販売端末２からスケジュール情報を受信する受信部４１と、受信部４１によって受信されたスケジュール情報を記憶するスケジュール情報記憶部４２と、印字データ生成部４３とで構成されている。
【００３０】
印字データ生成部４３は、会員番号が入力されると、スケジュール情報記憶部４２に記憶されているスケジュール情報を読み出し、読み出したスケジュール情報を印字するスケジュール情報印字領域からなる印字レイアウトを生成する。
【００３１】
次に、本実施の形態の動作について図４乃至図８を参照して詳細に説明する。
図４は、図１に示す販売端末の動作を説明するためのフローチャートであり、図５は、図１に示す入場口端末の動作を説明するためのフローチャートであり、図６は、図１に示す販売端末におけるチケット購入時の印字例を示す図であり、図７は、図１に示す入場口端末における入場時の印字例を示す図であり、図８は、図１に示す提携店舗端末における来店時の印字例を示す図である。
【００３２】
まず、顧客がチケット販売店でチケットを購入する際の販売端末２の動作について図４を参照して説明する。
販売端末２の磁気データ読み取り部５によってポイントカード１の情報記憶領域から会員番号を読み取ると共に（ステップＡ１）、顧客がチケットを購入した演目、上映日時、座席番号を入力部２５からチケット情報として入力する（ステップＡ２）。磁気データ読み取り部５によって読み取られた会員番号と、入力部２５から入力されたチケット情報は、予約管理部２３に入力される。
【００３３】
予約管理部２３は、顧客が購入したチケットの購入金額に予め定められたポイント割合を乗算することによって今回ポイントを算出すると共に（ステップＡ３）、算出した今回ポイントを顧客情報記憶部２２から読み出した累計ポイントに加算することによって累計ポイントを更新し、会員番号と、算出した今回ポイントと、更新した累計ポイントとをポイント情報として印字データ生成部２８に出力する。
【００３４】
また、予約管理部２３は、会員番号に基づいて顧客情報記憶部２２に記憶されている顧客情報を検索して、個人情報を読み出し（ステップＡ４）、読み出した個人情報と、チケット情報とを上映前情報検索部２７に出力すると共に、会員番号と、個人情報と、チケット情報とを予約者情報として予約状況記憶部２１に記憶させる。
【００３５】
上映前情報検索部２７は、個人情報と、チケット情報に含まれる上映日時とに基づいてサービス情報記憶部２６に記憶されているサービス情報を検索して、個人情報と適合する上映開始時間前のサービス情報を読み出し（ステップＡ５）、読み出したサービス情報と、チケット情報とを印字データ生成部２８に出力する。本実施の形態では、個人情報として顧客の年齢を使用し、顧客の年齢が「対象年齢」に含まれると共に、上映日が「サービス期間」に含まれ、さらに上映時間よりも前の「時間帯」に該当するサービス情報が読み出される。
【００３６】
印字データ生成部２８は、図６を参照すると、予約管理部２３から入力されたポイント情報を印字するポイント情報印字領域１０１と、上映前情報検索部２７から入力されたチケット情報を印字するチケット情報印字領域１０２と、上映前情報検索部２７から入力されたサービス情報を印字する上映前情報印字領域１０３とからなる印字レイアウトを生成し、印字部６は、印字データ生成部２８で生成された印字レイアウト、すなわちポイント情報と、チケット情報と、上映開始時間前のサービス情報とをポイントカード１の印字面に印字する（ステップＡ６）。
【００３７】
次に、顧客が入場口から入場する際の入場口端末３の動作について図５を参照して説明する。
販売端末２の送信部２９は、入場を受け付けている演目の予約者情報を予約状況記憶部２１から読み出して入場口端末３に送信すると共に、サービス情報をサービス情報記憶部２６から読み出して入場口端末３に送信し、入場口端末３の受信部３１は、受信した予約者情報を予約者情報記憶部３２に、受信したサービス情報をサービス情報記憶部３３にそれぞれ記憶させる。なお、販売端末２の送信部２９による予約者情報およびサービス情報の送信は、予約者情報およびサービス情報に変更があった時に行われ、予約者情報記憶部３２およびサービス情報記憶部３３には、常に最新の情報が記憶されるように構成されている。
【００３８】
顧客が入場する際には、入場口端末３の磁気データ読み取り部５によってポイントカード１の情報記憶領域から会員番号を読み取る（ステップＢ１）。磁気データ読み取り部５によって読み取られた会員番号は、入場管理部３４に入力され、入場管理部３４は、会員番号に基づいて予約者情報記憶部３２に記憶されている予約者情報を検索することで、チケット購入者か否かを判別し（ステップＢ２）、チケット購入者でないと判別された場合には、ブザー等の報知部３５によって警報を出力する（ステップＢ３）。
【００３９】
ステップＢ２でチケット購入者であると判別された場合には、入場管理部３４は、会員番号に基づいて予約者情報記憶部３２に記憶されている予約者情報を検索して、個人情報とチケット情報とを読み出し（ステップＢ４）、読み出した個人情報とチケット情報とを上映後情報検索部３６に出力する。
【００４０】
上映後情報検索部３６は、個人情報と、チケット情報に含まれる上映日時とに基づいてサービス情報記憶部３３に記憶されているサービス情報を検索して、個人情報と適合する上映終了時間後のサービス情報を読み出し（ステップＢ５）、読み出したサービス情報を印字データ生成部３７に出力する。本実施の形態では、個人情報として顧客の年齢を使用し、顧客の年齢が「対象年齢」に含まれると共に、上映日が「サービス期間」に含まれ、さらに上映時間よりも後の「時間帯」に該当するサービス情報が読み出される。
【００４１】
印字データ生成部３７は、図７を参照すると、上映後情報検索部３６から入力されたサービス情報を印字する上映後情報印字領域１０４からなる印字レイアウトを生成し、印字部６は、印字データ生成部３７で生成された印字レイアウト、すなわち上映開始時間前のサービス情報を、上映開始時間後のサービス情報に置き換えてポイントカード１の印字面に印字する（ステップＢ６）。
【００４２】
次に、顧客がサービス情報に記載されている提携店舗に来店した時の提携店舗端末４の動作について説明する。
販売端末２の送信部２９は、スケジュール情報を予約状況記憶部２１から読み出して提携店舗端末４に送信し、提携店舗端末４の受信部４１は、受信したスケジュール情報をスケジュール情報記憶部４２に記憶させる。なお、販売端末２の送信部２９によるスケジュール情報の送信は、スケジュール情報に変更があった時に行われ、スケジュール情報記憶部４２には、常に最新の情報が記憶されるように構成されている。
【００４３】
顧客が提携店舗に来店した際には、提携店舗端末４の磁気データ読み取り部５によってポイントカード１の情報記憶領域から会員番号を読み取り、磁気データ読み取り部５によって読み取られた会員番号は、印字データ生成部４３に入力される。
【００４４】
印字データ生成部４３は、会員番号が入力されると、スケジュール情報記憶部４２に記憶されているスケジュール情報を読み出し、図８に示すように、読み出したスケジュール情報を印字するスケジュール情報印字領域１０５からなる印字レイアウトを生成し、印字部６は、印字データ生成部４３で生成された印字レイアウト、すなわちスケジュール情報を、上映開始時間前もしくは上映終了時間後のサービス情報に置き換えてポイントカード１の印字面に印字する。
【００４５】
以上説明したように、本実施の形態によれば、チケット購入時に、上映開始時間前のサービス情報をポイントカード１に印字するように構成することにより、映画館等の娯楽施設とレストラン等の店舗とが併設されている複合施設において、娯楽施設の顧客を対象として、娯楽施設に併設されている店舗の上映開始時間前の利用を促進することができ、複合施設全体の売り上げを向上させることができるという効果を奏する。例えば、図６に示すように、上映開始時間が１４：００である場合には、上映開始時間前のサービス情報として昼食の情報を印字することにより、提携店舗の昼食利用を顧客に促すことができる。
【００４６】
さらに、本実施の形態によれば、入場時に、上映終了時間後のサービス情報をポイントカード１に印字するように構成することにより、映画館等の娯楽施設とレストラン等の店舗とが併設されている複合施設において、娯楽施設の顧客を対象として、娯楽施設に併設されている店舗の上映終了時間後の利用を促進することができ、複合施設全体の売り上げを向上させることができるという効果を奏する。例えば、図７に示すように、上映終了時間が１６：００である場合には、上映終了時間後のサービス情報として夕食の情報を印字することにより、提携店舗の夕食利用を顧客に促すことができる。
【００４７】
さらに、本実施の形態によれば、チケット購入時に、チケット情報をポイントカード１に印字するように構成することにより、ポイントカード１をチケット代わりに使用することができという効果を奏する。
【００４８】
なお、本実施の形態では、入場口端末３に予約者情報記憶部３２およびサービス情報記憶部３３を設け、販売端末２から受信した予約者情報およびサービス情報を記憶させるように構成したが、入場口端末３に予約者情報記憶部３２およびサービス情報記憶部３３を設けることなく、ネットワーク７を介して販売端末２の予約状況記憶部２１に記憶されている予約者情報および販売端末２のサービス情報記憶部２６に記憶されているサービス情報サービス情報にアクセスするように構成しても良い。
【００４９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００５０】
【図１】本発明に係るポイント管理システムの実施の形態の構成を示すブロック図である。
【図２】図１に示す提携店舗端末の構成を示すブロック図である。
【図３】図１に示すサービス情報記憶部に記憶されているサービス情報例を示す図である。
【図４】図１に示す販売端末の動作を説明するためのフローチャートである。
【図５】図１に示す入場口端末の動作を説明するためのフローチャートである。
【図６】図１に示す販売端末におけるチケット購入時の印字例を示す図である。
【図７】図１に示す入場口端末における入場時の印字例を示す図である。
【図８】図１に示す提携店舗端末における来店時の印字例を示す図である。
【符号の説明】
【００５１】
１  ポイントカード
２  販売端末
３  入場口端末
４  提携店舗端末
５  磁気データ読み取り部
６  印字部
７  ネットワーク
２１  予約状況記憶部
２２  顧客情報記憶部
２３  予約管理部
２４  表示部
２５  入力部
２６  サービス情報記憶部
２７  上映前情報検索部
２８  印字データ生成部
３１  受信部
３２  予約者情報記憶部
３３  サービス情報記憶部
３４  入場管理部
３５  報知部
３６  上映後情報検索部
３７  印字データ生成部
４１  受信部
４２  スケジュール情報記憶部
４３  印字データ生成部
１０１  ポイント情報印字領域
１０２  チケット情報印字領域
１０３  上映前情報印字領域
１０４  上映後情報印字領域
１０５  スケジュール印字領域
【図１】
2005165424.tif 000003
【図２】
2005165424.tif 000004
【図３】
2005165424.tif 000005
【図４】
2005165424.tif 000006
【図５】
2005165424.tif 000007
【図６】
2005165424.tif 000008
【図７】
2005165424.tif 000009
【図８】
2005165424.tif 000010